(57)【要約】【目的】  ランドマークやユーザが設定した施設を判りやすく表示し、かつ、道路等のナビゲーションにおいて真に必要な部分をユーザに判りやすく表示する「ナビゲーション装置及び地図表示方法」を提供することである。【構成】  ユーザが設定したランドマークの種別或いは施設を記憶し、少なくとも該種別のランドマークあるいは施設及び道路は地図データ通りの彩度でカラー表示し、地図データ通りの彩度で表示しない地図部分は彩度を弱めてカラー表示する。この場合、地図表示対象物毎に優先表示スコアを記憶し、該優先表示スコアに応じた彩度でランドマーク、施設、道路、その他の表示対象物をカラー表示し、また、優先度表示スコアと彩度の関係曲線を車両の速度に応じて変化する。【選択図】        図１
2006201232.tif 000002
【特許請求の範囲】
【請求項１】
ナビゲーション装置の地図表示方法において、
ユーザが設定したランドマークの種別或いは施設を記憶し、
少なくとも前記種別のランドマークあるいは前記施設及び道路は地図データ通りの彩度でカラー表示し、
地図データ通りの彩度で表示しない地図部分は彩度を弱めてカラー表示する、
ことを特徴とする地図表示方法。
【請求項２】
高さが設定高さ以上の高層建物は地図データ通り或いは地図データに近い彩度でカラー表示する、
ことを特徴とする請求項１記載の地図表示方法。
【請求項３】
前記ランドマークの所在地あるいは前記施設に接近した時、音声案内する、
ことを特徴とする請求項１記載の地図表示方法。
【請求項４】
地図表示対象物毎に優先表示スコアを記憶し、
該優先表示スコアに応じた彩度でカラー表示する、
ことを特徴とする請求項１記載の地図表示方法。
【請求項５】
前記優先表示スコアと彩度の関係曲線を車両の速度に応じて変える、
ことを特徴とする請求項４記載の地図表示方法。
【請求項６】
自動車周辺の地図を表示するナビゲーション装置において、
地図情報を保存する地図情報保存部、
自車位置を測定する自車位置測定部、
車両周辺の地図を表示する表示部、
ユーザが設定したランドマークの種別或いは施設を記憶する記憶部、
少なくとも前記種別のランドマークあるいは前記施設及び道路は地図データ通りの彩度で前記表示部にカラー表示し、地図データ通りの彩度で表示しない地図部分は彩度を弱めて前記表示部にカラー表示する表示制御部
を備えたことを特徴とするナビゲーション装置。
【請求項７】
地図表示対象物毎に優先表示スコアを記憶する記憶部、
を備え、前記地図表示部は該優先表示スコアに応じた彩度でカラー表示する、
ことを特徴とする請求項６記載のナビゲーション装置。
【請求項８】
前記表示制御部は、前記優先表示スコアと彩度の関係を車両の速度に応じて変え、前記地図表示部は車両速度及び優先表示スコアに応じた彩度でカラー表示する、
ことを特徴とする請求項７記載のナビゲーション装置。
【発明の詳細な説明】
【技術分野】
【０００１】
本発明はナビゲーション装置及び地図表示方法に係わり、特に、ナビゲーションに際して必要な地図部分を他の部分より彩度を大にして識別可能に表示するナビゲーション装置及び地図表示方法に関する。
【背景技術】
【０００２】
ナビゲーション装置は、車両の現在位置に応じた地図データをDVD，HDD等の地図データ記憶部から読み出してディスプレイ画面に描画すると共に、走行に応じて車両マ−クを地図上で移動させ、あるいは車両マークをディスプレイ画面の一定位置（例えばディスプレイ画面の中心位置）に固定表示して地図をスクロ−ル表示する。地図データは、(1) ノ−ドデータや道路リンクデータ、交差点データ等からなる道路レイヤと、(2) 地図上のオブジェクトを表示するための背景レイヤと、(3) 市町村名などを表示するための文字レイヤなどから構成され、ディスプレイ画面に表示される地図画像は、背景レイヤと文字レイヤに基づいて発生され、マップマッチング処理や誘導経路の探索処理は道路レイヤに基づいて行われる。
ナビゲーション装置は以上に加えて、出発地から目的地までの誘導経路を探索し、該誘導経路を地図上に表示する経路誘導機能や地図上に所定のランドマークを表示するランドマーク表示機能を備えている。ランドマーク表示は各種コンビニ、ガソリンスタンド、銀行、遊び施設、宿泊施設、観光地など、ユーザが選択した業種の所在地をランドマークで表示する機能である。また、業者が銀行であれば全銀行でなく口座のある指定銀行のみ、あるいは、ガソリンスタンドであれば全ガソリンスタンドでなくカード決済可能な指定のガソリンスタンドのみ、あるいは指定ホテルのみ等をランドマーク表示することもできる。
【０００３】
ところで、カラー表示では、人間の視覚効果により色彩の鮮やかなものが複数あると、かえって見にくくなると言われている。しかし、従来の地図表示において、かかる点を考慮した地図表示を行なっておらず、道路やランドマークが地図上において見にくい問題があった。なお、施設の利用割合に基づいて強調度合を変えて該施設のランドマークを表示する従来技術がある(たとえば、特許文献１参照)。しかし、かかる従来技術では、地図全体が鮮明であるため強調してもランドマークが判りずらい問題がある。また、従来技術では道路やランドマーク、その他の真に必要な部分をユーザに判りやすく表示できない問題がある。
【特許文献１】特開２００４−３１７２２２号公報参照
【発明の開示】
【発明が解決しようとする課題】
【０００４】
以上から本発明の目的は、ランドマークやユーザが設定した施設を判りやすく表示し、かつ、道路やその他のナビゲーションにおいて真に必要な部分をユーザに判りやすく表示できるようにすることである。
本発明の別の目的は高層ビルのように目立つ建物や施設を判りやすく表示したり、該施設に接近したときに音声案内することである。
本発明の別の目的は、車速に応じて鮮明表示する部分の数を減少してナビゲーションにおいて真に必要な部分をユーザに判りやすく表示できるようにすることである。
【課題を解決するための手段】
【０００５】
上記課題は本発明によれば、ナビゲーション装置の地図表示方法において、ユーザが設定したランドマークの種別或いは施設を記憶し、少なくとも前記種別のランドマークあるいは前記施設及び道路は地図データ通りの彩度でカラー表示し、地図データ通りの彩度で表示しない地図部分は彩度を弱めてカラー表示する地図表示方法により達成される。
上記地図表示方法において、高さが設定高さ以上の高層建物は地図データ通り或いは地図データに近い彩度でカラー表示する。また、上記地図表示方法において、前記ランドマークの所在地あるいは前記施設に接近した時、音声案内する。また、上記地図表示方法において、地図表示対象物毎に優先表示スコアを記憶し、該優先表示スコアに応じた彩度でカラー表示する。この場合、前記優先表示スコアと彩度の関係曲線を車両の速度に応じて変化する。
【０００６】
上記課題は本発明によれば、自動車周辺の地図を表示するナビゲーション装置において、地図情報を保存する地図情報保存部、自車位置を測定する自車位置測定部、車両周辺の地図を表示する表示部、ユーザが設定したランドマークの種別或いは施設を記憶する記憶部、少なくとも前記種別のランドマークあるいは前記ジャンルの施設及び道路は地図データ通りの彩度で前記表示部にカラー表示し、地図データ通りの彩度で表示しない地図部分は彩度を弱めて前記表示部にカラー表示する表示制御部を備えたナビゲーション装置により達成される。
上記ナビゲーション装置は、地図表示対象物毎に優先表示スコアを記憶する記憶部、を備え、前記地図表示部は該優先表示スコアに応じた彩度でカラー表示する。この場合、前記表示制御部は、前記優先表示スコアと彩度の関係を車両の速度に応じて変え、前記地図表示部は車両速度及び優先表示スコアに応じた彩度でカラー表示する。
【発明の効果】
【０００７】
本発明によれば、ユーザが設定したランドマークの種別或いは施設を記憶し、少なくとも前記種別のランドマークあるいは前記施設及び道路は地図データ通りの彩度でカラー表示し、地図データ通りの彩度で表示しない地図部分は彩度を弱めてカラー表示するようにしたから、ランドマークやユーザが設定した施設を判りやすく表示し、かつ、道路等のナビゲーションにおいて真に必要な部分をユーザに判りやすく表示することができる。
本発明によれば、高層ビルのように目立つ建物や施設を判りやすく表示したり、該施設に接近したときに音声案内することができる。
本発明によれば、車速に応じて鮮明表示する部分の数を減少してナビゲーションにおいて真に必要な部分をユーザに判りやすく表示することができる。
【発明を実施するための最良の形態】
【０００８】
ユーザが設定したランドマークの種別或いは施設を記憶し、少なくとも前記種別のランドマークあるいは前記施設及び道路は地図データ通りの彩度でカラー表示し、地図データ通りの彩度で表示しない地図部分は彩度を弱めてカラー表示する。この場合、地図表示対象物毎に優先表示スコアを記憶し、該優先表示スコアに応じた彩度で前記ランドマーク、施設及び道路をカラー表示し、また、優先表示スコアと彩度の関係を車両の速度に応じて変化する。
【実施例１】
【０００９】
図１は本発明のナビゲーション装置の構成図であり、地図記録媒体(CD-ROM、DVD、ＨＤＤなど)１には地図データが記録されており、必要に応じて読み取られるようになっている。地図データは、(1)誘導経路探索やマップマッチングに際して使用する道路レイヤ、(2)地図上のオブジェクトを表示するための背景レイヤ、(3)地図上の市町村名など文字を表示するための文字レイヤ、(4)適宜ランドマークを表示するためのランドマークレイヤなどから構成されている。
背景レイヤは、図２(A)，(B)に示すように地図描画用のデータで構成されており、該データにはラインデータとポリゴンデータがある。ラインデータは、線を描画するもので、ライン／ポリゴンの別、折れ線近似したときの各線分の始点／終点（曲線の形状）、色、線種、道路データであるか否かを示す道路フラグ等を有している。ポリゴンデータは、施設などを描画するもので、ライン／ポリゴンの別、ポリゴン形状、色、線種、高さ(建物の場合) 等を有している。ランドマークレイヤは、図葉毎に、該図葉に含まれるランドマークのデータを保持する。
【００１０】
図３はランドマークレイヤデータの説明図であり、(A)に示すように、
・ランドマークの経緯度位置(ランドマーク表示位置)、
・ランドマークアイコンコード、
・カテゴリー(コンビに、レストラン、ホテル、銀行、ガソリンスタンド等)、
・施設名称
を有している。(A)の例では、(B)に示すように地図(図葉)MP上のセブンイレブンの所在位置(x1，y1)にランドマーク５０が表示される。
操作部2にはナビゲーション装置本体６を操作するための各種操作キーが設けられており、リモコンあるいはタッチパネルで構成されている。GPS受信機3はGPS衛星から送られてくる位置情報を受信して車両の現在位置を測定する。自立航法センサー４は、車両回転角度を検出するジャイロなどの角度センサー４ａと、一定走行距離毎にパルスを発生する走行距離センサー４ｂとを備え、自律的に車両の現在位置や速度を測定できるようになっている。ナビゲーション装置６はGPSと自立航法を併用して車両現在位置を測定するようになっている。ディスプレイ措置５はナビゲーション装置６からの指示に従って車両周辺地図や誘導経路、車両位置マーク、その他の案内情報やメニューを表示する。
【００１１】
ナビゲーション装置６において、地図バッファ１１は地図記録媒体から読み取った地図データを一時的に保存する。地図バッファ１１は、図４に示すように自車位置に応じた図葉(ＭＰ０５)と周辺図葉の合計９つの図葉ＭＰ０１〜ＭＰ０９を少なくとも保持し、走行に応じて地図をスクロール表示できるようになっている。また、地図バッファ１１は地図データの他に、図葉毎に図３(A)に示すランドマークデータを保存する。
制御部１５は各インターフェース１２〜１４を介して入力される各種情報に基づいて車両現在位置の検出、車両周辺地図データのバッファへの読み出し、誘導経路探索、マップマッチング処理、描画地図の彩度制御等を実行する。
地点登録メモリ１６は、図５に示すように、ユーザ操作で登録した地点(施設)の名称(登録地点名)、登録地点マーキング用アイコンコード、登録地点(施設)のカテゴリー、登録地点の位置(経緯度)を格納する。地点登録メモリ１６に地点(施設)を登録するには、たとえば、(1)リモコン上の地点登録キーを操作して車両が存在する地点(施設)を登録する、あるいは、(2)登録すべき地点(施設)をカーソルで指示し、ついで地点登録メニューを選択して地点(施設)を登録する、などの操作により行う。
表示ランドマーク記憶部１７は、多数のランドマークのうちユーザが選択したランドマーク名(施設名)を記憶し、地図描画部は該ランドマークのみを地図に重ねて描画する。
【００１２】
優先度スコアテーブル１８は、地図表示対象物（ランドマーク、道路、高層建物、その他の建物、施設等）毎に優先表示スコアを記憶する。優先表示スコアは地図表示対象物の彩度を決定する値であり、優先表示スコアが１００であれば、図形描画コマンドが指示する彩度でカラー表示し、１００以下の値Ｓであれば、該値Ｓに応じた低い彩度でカラー表示する。なお、彩度の決定方法については後述する。
地図描画部１９は地図バッファ１１に読み出された地図描画データを用いて地図画像やランドマークを優先表示スコアが示す彩度で生成してVRAM ２０に書込む。画像読み出し部２１は制御部１５からの指示に従ってVRAM ２０から所定の画像部分を切り取って画像合成部２２に入力する。制御部１５は、VRAM ２０に書込まれる地図画像を切り替えたり、画像読み出し部２１によるVRAM ２０における画像切り出し位置を制御したりすることにより地図画像をスクロールする。
【００１３】
誘導経路メモリ２３は、制御部１５により探索された目的地までの誘導経路情報、すなわち、誘導経路を構成する全ノードの位置データを出発地から目的地まで記録する。誘導経路描画部２４は誘導経路情報を用いて誘導経路画像を発生して画像合成部２２に入力し、描画地図上に表示する。車両マーク発生部２５は車両位置マークを生成して画像合成部２２に入力する。画像合成部２２は、VRAM ２０から読み出した地図画像に車両マーク発生部２５で生成した車両マークや誘導経路描画部２４で描画した誘導経路などを重ね合わせてディスプレイ装置５に表示する。音声出力部２６は制御部１５から入力された信号に応じた音声信号を発生してスピーカ(図示せず)より出力する。
【００１４】
図6は本発明の彩度制御の説明図であり、（Ａ）の原画像を構成する地図表示対象物ＩＭｉ（ｉ＝１，２，．．．）の属性毎に（B）に示すように優先表示スコアＳが優先度スコアテーブル１８に記憶されている。ランドマークと道路の優先表示スコアＳは最大値の１００、高層ビルの優先表示スコアＳは９０、．．．、その他優先登録されていない施設の優先表示スコアＳは１００以下で、たとえば５０である。優先表示スコアＳと透過率Ｐは（C）に示すように比例関係にあり、比例係数ａの場合には次式
Ｐ＝ａ×Ｓ        (1)
により透過率Ｐを計算できる。透過率（％）とは、原画像を透過表示する割合である。地図描画部１９は、地図バッファ１１に読み出された地図描画データおよび優先表示スコアＳを用いて、地図画像やランドマークを優先表示スコアが示す彩度で生成してVRAM ２０に書込む。すなわち、地図描画部１９は、優先表示スコアＳに応じた透過率Ｐを(1)式により求め、ついで、次式
ｈ(x,y)＝｛Ｐ/100｝×ｆ(x,y)＋｛(100−Ｐ)/100｝×ｇ(x,y)      (2)
により彩度変換し、該彩度で地図表示対象物ＩＭｉ（ｉ＝１，２，．．．）の画像を発生してVRAM ２０に書込む。ただし、ｆ(x,y)は原画像、ｇ(x,y)は原画像をグレー化した画像、ｈ(x,y)は変換画像である。以上のようにすれば、道路およびランドマークは地図描画データのそのままの彩度で表示し、他の表示部分は彩度を低く抑えて表示することができる。
【００１５】
図７は発明の地図彩度表示制御の処理フローである。
制御部１５は自動車位置周辺の地図データを地図記録媒体1から読み取って地図バッファ１１に保存する(ステップ１０１)。地図描画部１９は地図バッファ１１から地図描画データを1個づつ取り出し(ステップ１０２)、該地図描画データが道路の描画データであるか判別し(ステップ１０３)、道路の描画データであれば道路の優先表示スコアＳを優先度スコアテーブル１８から取得し、(1)、(2)式にしたがって前記彩度変換を行なって道路画像を発生してVRAM２０に描画する(ステップ１０４、１０５)。
ステップ１０３において、道路の描画データでなければ、地図描画部１９はポリゴンデータであるかチェックし(ステップ１０６)、ポリゴンデータであれば、高さ情報を参照して所定高さ以上の高層ビルであるかチェックする(ステップ１０７)。高層ビルであれば、高層ビルの優先表示スコアＳを優先度スコアテーブル１８から取得し、(1)、(2)式にしたがって前記彩度変換を行なってポリゴン画像を発生してVRAM２０に描画する(ステップ１０８、１０５)。なお、着目しているポリゴン周辺の高さ分布を計算し、該着目ポリゴンの高さが目立つ程に高い場合に高層ビルであると判定することもできる。
【００１６】
ステップ１０６において描画データがポリゴン以外の描画データであれば、あるいは、ポリゴンが示す建物が高層ビルでなければ、それらの優先表示スコアＳを優先度スコアテーブル１８から取得し、(1)、(2)式にしたがって前記彩度変換を行なって画像を発生してVRAM２０に描画する(ステップ１０９、１０５)。
以後、全描画データについて地図画像の発生処理が完了したかチェックし(ステップ１１０)、完了してなければステップ１０２において次の描画データを読み出してステップ１０３以降の処理を繰返す。
一方、ステップ１１０において、全描画データについて地図画像の発生処理が完了すれば、選択されているランドマークおよび登録地点マークを地図画像の場合と同様に優先表示スコアに基づいた彩度で発生してVRAM２０に描画する(ステップ１１１)。
以後、画像読み出し部２１は制御部１５からの指示に従ってVRAM ２０から自車位置周辺の1画面分の画像部分を切り取って画像合成部２２に入力し、ディスプレイ装置５に表示する。
以上より、第1実施例によれば、道路およびランドマークを地図描画データのそのままの彩度で表示し、他の表示部分は彩度を低く抑えて表示するから、道路およびランドマークを容易に識別できるようになる。また、目立ちやすい高層ビルなどを地図描画データそのままの彩度で、あるいはそれに近い彩度で表示するから、これらを容易に識別できるようになる。この結果、運転に際して必要な情報を確実に運転手に提供することができる。
【００１７】
図８はランドマークの施設に接近した時に音声案内する処理の流れ図である。なお、ランドマーク地点を訪問する毎に訪問回数をカウントアップし、該回数を図３（A）の施設名に対応させて保存しているものとする。
制御部１５は、表示地図上にランドマーク地点が存在するかチェックし(ステップ２０１)、存在する場合には、該施設への訪問回数が設定回数より多いかランドマークデータを参照して調べ(ステップ２０２)、多い場合には、自車位置から近いかチェックし(ステップ２０３)、近い場合には、音声出力部２６を制御して該ランドマーク地点への案内（例えば、「×××は右折です」）などの音声案内をする(ステップ２０４)。以上のようにすれば、施設を示すランドマークが見やすくなった上に、ランドマーク地点への音声案内をするから運転手が必要とする施設を見落とすことがなくなる。なお、登録地点(施設)に対しても同様に案内制御することができる。
以上では、ポリゴンデータに優先表示スコアを含ませなかったが、図９（Ａ）に示すようにポリゴンデータに優先表示スコアを含ませ、該優先表示スコアに応じた彩度でポリゴン表示することもできる。この場合、優先表示スコアを含まないポリゴンは予め設定されている優先表示スコアに応じた彩度でポリゴン表示する。また、ネオンサインなどにより、夜は目立つが、昼間は目立たない建物があるから、図９（B）に示すようにポリゴンデータに昼用と夜用の優先表示スコアを含ませることもできる。
【実施例２】
【００１８】
第１実施例では、優先表示スコアと彩度の関係曲線が車両速度に関係なく一定であったが、車両速度に応じて優先表示スコアと彩度の関係曲線を変えるようにすることができる。図１０はかかる第２実施例のナビゲーション装置の構成図であり、図１の第1実施例と同一部分には同一符号を付している。異なる点は、速度に応じて優先表示スコアSと透過率Pの対応関係曲線を複数記憶する記憶部（優先表示スコア／透過率対応記憶部）３１を設けた点である。
図１１は第2実施例の彩度表示制御の説明図である。（Ａ）の原画像を構成する地図表示対象物ＩＭｉ（ｉ＝１，２，．．．）の属性毎に（B）に示すように優先表示スコアＳが優先度スコアテーブル１８に記憶されている。ランドマークと道路の優先表示スコアＳは最大値の１００、高層ビルの優先表示スコアＳは９０、．．．、その他優先登録されていない施設の優先表示スコアＳは１００以下で、たとえば５０である。優先表示スコア／透過率対応記憶部３１は（C）に示すように速度に応じて優先表示スコアSと透過率Pの対応関係曲線を複数記憶している。すなわち、速度が速いと、優先表示スコアＳが小さくなるにつれて透過率の減少度合が大きくなり、速度が遅いと、優先表示スコアＳが小さくなっても透過率の減少度合が小さい。地図描画部１９は、地図表示対象物ＩＭｉの優先表示スコアＳを優先度スコアテーブル１８より求め、優先表示スコア／透過率対応記憶部３１より車速および該優先表示スコアSに応じた透過率Pを求め、該透過率を用いて地図画像やランドマークを優先表示スコアが示す彩度で生成してVRAM ２０に書込む。すなわち、地図描画部１９は、車速および優先表示スコアＳに応じた透過率Ｐを用いて(2)式により彩度変換し、該彩度で地図表示対象物ＩＭｉ（ｉ＝１，２，．．．）の画像を発生してVRAM ２０に書込む。以後、画像読み出し部２１は制御部１５からの指示に従ってVRAM ２０から自車位置周辺の1画面分の画像部分を切り取って画像合成部２２に入力し、ディスプレイ装置５に表示する。
以上、第2実施例よれば、優先表示スコアと彩度の関係曲線を車両の速度に応じて変え、車速度が速いとき、優先表示スコアＳが小さくなるにつれて透過率の減少度合を大きくしたから、高速時に優先表示スコアＳが大きい地図表示対象物のみを原画通りの彩度で表示でき、ランドマークや道路を判りやすく表示することができる。
【図面の簡単な説明】
【００１９】
【図１】本発明のナビゲーション装置の構成図である。
【図２】地図描画用のデータの説明図である。
【図３】ランドマークデータの説明図である。
【図４】地図バッファの地図データ説明図である。
【図５】地点登録メモリの内容説明図である。
【図６】本発明の彩度表示制御の説明図である。
【図７】発明の地図彩度表示制御の処理フローである。
【図８】ランドマークの施設に接近した時に音声案内する処理の流れ図である。
【図９】ポリゴンデータの説明図である。
【図１０】第２実施例のナビゲーション装置の構成図である。
【図１１】第2実施例の彩度表示制御の彩度表示制御説明図である。
【符号の説明】
【００２０】
５  ディスプレイ装置
６  ナビゲーション装置
１５  制御部
１６  地点登録メモリ
１７  表示ＰＯＩマークカテゴリー記憶部
１８  優先度スコアテーブル
１９  地図描画部
２０  VRAM
２１  画像読み出し部
２２  画像合成部
【図１】
2006201232.tif 000003
【図２】
2006201232.tif 000004
【図３】
2006201232.tif 000005
【図４】
2006201232.tif 000006
【図５】
2006201232.tif 000007
【図６】
2006201232.tif 000008
【図７】
2006201232.tif 000009
【図８】
2006201232.tif 000010
【図９】
2006201232.tif 000011
【図１０】
2006201232.tif 000012
【図１１】
2006201232.tif 000013